(57)【要約】【課題】ノートパソコンの使用方法が拡大でき、省占有面積の問題解決を図ることを可能とする。【解決手段】キーボード部とディスプレー部とがヒンジ結合されてなるノートパソコンにおいて、キーボード部の裏面に可脱ヒンジで結合された支柱を備え、キーボード部と支柱とを逆Ｖ字状または扉状またはＬ字状に開いた状態にするとともに、それぞれの下端を机等の平面上に設置し、ノートパソコンのディスプレー部を上方へ開いて、ディスプレー部を上及びキーボード部を下に略直立させることで、従来のノートパソコンで出来なかった使用方法やより改善された使用方法が提供される。【選択図】図１2005165888.tif 000003
2005165888.tif 000002
【特許請求の範囲】
【請求項１】
キーボード部とディスプレー部とがヒンジ結合されてなるノートパソコンにおいて、キーボード部の裏面にヒンジ結合された少なくとも１つ以上の支柱を備え、キーボード部と支柱とを逆Ｖ字状に開いた状態にするとともに、キーボード部及び支柱の下端を机等の平面上に設置して、ディスプレー部を上方へ開いて使用することを特徴とするノートパソコン。
【請求項２】
キーボード部とディスプレー部とがヒンジ結合されてなるノートパソコンにおいて、キーボード部の裏面にヒンジ結合された少なくとも１つ以上の支柱を備え、キーボード部と支柱とを扉状に開いた状態にするとともに、キーボード部及び支柱の下端を机等の平面上に設置して、ディスプレー部を上方へ開いて使用することを特徴とするノートパソコン。
【請求項３】
キーボード部とディスプレー部とがヒンジ結合されてなるノートパソコンにおいて、キーボード部の裏面にヒンジ結合された少なくとも１つ以上の支柱を備え、キーボード部と支柱とをＬ字状に開いた状態にするとともに、支柱の下端を机等の平面上に設置して、ディスプレー部を上方へ開いて使用することを特徴とするノートパソコン。
【請求項４】
前記支柱が略板状体であることを特徴とする請求項１乃至３のいずれかに記載のノートパソコン。
【請求項５】
前記キーボード部と前記支柱の下端部にすべり止め材を具備したことを特徴とする請求項１乃至４のいずれかに記載のノートパソコン。
【請求項６】
前記支柱が取り外し可能であることを特徴とする請求項１乃至５のいずれかに記載のノートパソコン。
【請求項７】
前記支柱の内部にバッテリーパック，ハードディスクドライブ，シリコンディスクドライブ、ＣＤ−ＲＯＭドライブ、ＣＤ−ＲＷドライブ、ＤＶＤ−ＲＯＭドライブ、ＤＶＤ−ＲＷドライブなどのメディアドライブ及び、通信用、電源用、外部接続装置及び接続機器などのパソコン外部接続端子のうち少なくとも１つを備えることを特徴とする請求項１乃至６のいずれかに記載のノートパソコン。
【発明の詳細な説明】
【技術分野】
【０００１】
本発明は、ノートパソコンの使用方法の拡大及びノートパソコンの使用時の省占有面積に関するものである。
【背景技術】
【０００２】
従来、ノートパソコンはディスプレー部とキーボード部を折りたたむなどをして携帯に便利なように、パソコンの小型化を目指したもので、内部機能的には進化し多用途に適応できる。しかし、高性能化及び小型化された効用を生かしきれていなかったという問題と小型化されたための弊害が発生したという問題があった。
【０００３】
一般的には、ディスプレー部はほぼ垂直で、キーボード部は机上面などに水平にして使用するため、占有面積が大きくなる。また使用していない時にはノートパソコンの占有面積が障害となる。具体的には、不使用時には収納したり、パソコンの上で他の作業をしてしまうの問題があった。
【０００４】
また、小型化による弊害として、ディスプレー画面の位置が低くなり、作業者の視線も下がることを余儀なくされ疲労感が増大するといった問題があった。
【０００５】
また、例えば特開２００３−４４１６５号公報に記載されているノートパソコン用補助具を使用する場合には、補助具とノートパソコンが別物であったため、移動するときにノートパソコンと補助具の両方を運ぶ必要がある、しかも、使用する都度毎に組み立てを行い、不使用時には分解する手間がかかり、持ち運び時には荷物が大きくなる問題があった。
【特許文献１】特開２００３−４４１６５号公報
【発明の開示】
【発明が解決しようとする課題】
【０００６】
本発明が解決しようとする課題は、従来のノートパソコンと同様な使用方法に加えて、占有面積を小さくし、且つディスプレー画面の位置を高い設置にすることが可能なノートパソコンを提供する点にある。
【０００７】
さらに、自立させたときに振動などでぶれたり倒れたりすることの無いノートパソコンを提供する点にある。
【０００８】
さらに、従来オプションとして装備することの多かったバッテリーパックやハードディスクドライブ、シリコンディスクドライブ、CD-ROMドライブ、CD-RWドライブ、DVD−ROMドライブ、DVD-RWドライブなどとも共存できるようにする点にある。
【課題を解決するための手段】
【０００９】
この目的を達成するために成された請求項１乃至７に係るノートパソコンは、キーボード部とディスプレー部とがヒンジ結合されてなるノートパソコンにおいて、キーボード部の裏面にヒンジ結合された少なくとも１つ以上の支柱を備えることを特徴とする。
【００１０】
また、請求項１に係るノートパソコンは、前記キーボード部と前記支柱とを逆Ｖ字状に開いた状態にするとともに、前記キーボード部及び前記支柱の下端を机等の平面上に設置して前記ディスプレー部を上方へ開いて使用することを特徴とする。
【００１１】
また、請求項２に係るノートパソコンは、前記キーボード部と前記支柱とを扉状に開いた状態にするとともに、前記キーボード部及び前記支柱の下端を机等の平面上に設置して前記ディスプレー部を上方へ開いて使用することを特徴とする。
【００１２】
また、請求項３に係るノートパソコンは、前記キーボード部と前記支柱とをL字状に開いた状態にするとともに、前記支柱の下端を机等の平面上に設置して前記ディスプレー部を上方へ開いて使用することを特徴とする。
【００１３】
また、請求項４に記載のノートパソコンは、請求項１乃至３のいずれかに記載のノートパソコンであって、前記支柱が略板状体であることを特徴とする。
【００１４】
また、請求項５に記載のノートパソコンは、請求項１乃至４のいずれかに記載のノートパソコンであって、前記キーボード部と前記支柱の下端部にすべり止め材を具備したことを特徴とする。
【００１５】
また、請求項６に記載のノートパソコンは、請求項１乃至５のいずれかに記載のノートパソコンであって、前記支柱が取り外し可能であることを特徴とする。
【００１６】
また、請求項７に記載のノートパソコンは、請求項１乃至６のいずれかに記載のノートパソコンであって、前記支柱の内部にバッテリーパック，ハードディスクドライブ，シリコンディスクドライブ、ＣＤ−ＲＯＭドライブ、ＣＤ−ＲＷドライブ、ＤＶＤ−ＲＯＭドライブ、ＤＶＤ−ＲＷドライブなどのメディアドライブ及び、通信用、電源用、外部接続装置及び接続機器などのパソコン外部接続端子のうち少なくとも１つを備えることを特徴とする。
【００１７】
このような構成を有する本発明のノートパソコンは、ノートパソコンを自立させて使用することにより、ディスプレー部を上にキーボード部を下に縦配置した状態で使用が出来ることを最も主要な特徴とする。
【発明の効果】
【００１８】
本発明のノートパソコンは、ノートパソコンを自立させ、ディスプレー部を上にキーボード部を下に縦配置した状態で使用が出来るようにしたので、使用時のみならず未使用時においても、机上面の占有面積を少なく出来る。
【００１９】
また、ディスプレー部が従来のノートパソコンに比べてより上方にあることにより、視線がほぼ水平な角度でディスプレー画面を見ることが出来ることで、作業者の疲労軽減とノートパソコンによる動画の観賞及び、テレビ電話としての使用及びプレゼンテーション用に最適である。
【００２０】
また、従来技術のようにノートパソコンと補助具がばらばらにならず、しかもコンパクトな構成を達成したため、携帯性が良い。
【００２１】
さらに、従来の使用方法の利点を損なわず、従来のノートパソコンでは成し得ない使用方法が容易に満足でき、多用途に適用できる。
【発明を実施するための最良の形態】
【００２２】
ノートパソコンをディスプレー部（１）とキーボード部（２）を開きキーボード部（２）を下にして自立させ、ディスプレー部（１）のディスプレー画面が水平方向を向いたときキーボード部（２）の背面で可脱ヒンジ（５）で結合された支柱（３）の提供と、自立させたノートパソコンが机上などとの接触面で滑らないための、キーボード部（２）と支柱（３）の端部にすべり止め材（６）を備えることにより安定した自立が可能となり、目的を実現した。
【実施例】
【００２３】
図１は、本発明の１実施例の図であって、ノートパソコン利用のうちキーボード部（２）が下でディスプレー部（１）が上に位置し、省占有面積の上ディスプレー部（１）のディスプレー画面は見やすい角度になる逆V字形状になる支柱（３）を備え、それぞれの端部をヒンジ（４）及び可脱ヒンジ（５）で係止したものである。
【００２４】
図２及び図３及び図４は、本発明の１実施例の図であって、ノートパソコン利用のうちキーボード部（２）が下でディスプレー部（１）が上に位置し、省占有面積の上ディスプレー部（１）のディスプレー画面は見やすい角度になる扉状になる支柱（３）を備え、それぞれの端部をヒンジ（４）及び可脱ヒンジ（５）で係止したものである。
【００２５】
図５は、本発明の１実施例の図であって、ノートパソコン利用のうちキーボード部（２）が下でディスプレー部（１）が上に位置し、省占有面積の上ディスプレー部（１）のディスプレー画面は見やすい角度になるＬ字型状になる支柱（３）を備え、それぞれの端部をヒンジ（４）及び可脱ヒンジ（５）で係止したものである。
【００２６】
上記ノートパソコンのうち、ディスプレー部（１）にはディスプレー画面の他に、カメラ及びマイクの装着も好ましい。
【００２７】
また、キーボード部（２）にはキーボードの他に、各種入力用操作ボタン及びカメラ及びマイク及びスピーカーの装着が好ましいが、バッテリ電源及び標準機能部品の他に、オプション装備とされる機能及び外部接続端子を装備するのも良い。
【００２８】
また、支柱（３）には支柱の機能のみならず、略板状の内部にスピーカーをはじめ、ディスプレー及びキーボード以外の機能を内部に装備するのも良い。
【００２９】
また、支柱（３）の内部に装備する機能を、パソコン操作上の必需標準機能を除いたものに限定した場合には、可脱ヒンジ（５）で自由に着脱を可能とすることにより、携帯用機能を十分満足できるノートパソコンとなる。必需標準機能以外の機能の例としては、バッテリーパック、ハードディスクドライブ、シリコンディスクドライブ、ＣＤ−ＲＯＭドライブ、ＣＤ−ＲＷドライブ、ＤＶＤ−ＲＯＭドライブ、ＤＶＤ−ＲＷドライブなどのメディアドライブ及び、通信用、電源用、外部接続装置及び接続機器などのパソコン外部接続端子がある。
【産業上の利用可能性】
【００３０】
本発明のノートパソコンは、従来のノートパソコン小型化による携帯性という利点に反し、ディスプレー部の位置が下がりディスプレー画面の表示が見難いという欠点を補完するものである。
【００３１】
また、ノートパソコンは小型化されが、性能は一段と向上したために、ノートパソコンによる動画の観賞及びテレビ電話としての利用及びプレゼンテーション用としての使用をする機会も多くなり、従来のノートパソコンに比べてディスプレー画面が上方に位置することで、さらに使用しやすくなる。
【００３２】
さらに、従来のノートパソコンは机上面などに水平に設置するため、占有面積が大きくなるが、前記支柱を設けることにより、省占有面積となる。
【図面の簡単な説明】
【００３３】
【図１】逆V字型に装着した支柱（３）を持つノートパソコンを自立させた時の背面から見た斜視図である。
【図２】扉状に装着した支柱（３）を持つノートパソコンを自立させた時の正面図である。
【図３】扉状に装着した支柱（３）を持つノートパソコンを自立させた時の平面図である。
【図４】扉状に装着した支柱（３）を持つノートパソコンを自立させた時の右側面図である。
【図５】Ｌ字状に装着した支柱（３）を持つノートパソコンを自立させた時の背面から見た斜視図である。
【符号の説明】
【００３４】
（１）    ディスプレー部
（２）    キーボード部
（３）    支柱
（４）    ヒンジ
（５）    可脱ヒンジ
（６）    滑り止め材
【図１】
2005165888.tif 000004
【図２】
2005165888.tif 000005
【図３】
2005165888.tif 000006
【図４】
2005165888.tif 000007
【図５】
2005165888.tif 000008